(57)【要約】【課題】ダイレクトタンデム方式の画像形成装置において、モノクロモードにおける逆転写ゴーストの発生を抑制することができる画像形成装置を提供すること。【解決手段】  用紙Ｐを搬送する搬送ベルト１８と、用紙Ｐに転写されるトナー像を担持する各色の感光ドラム１２と、搬送ベルト１８を挟んで各感光ドラム１２に対向される各転写ローラ１９とを備えるカラーレーザプリンタ１において、モノクロモードのときに、カラー（イエロー、マゼンタ、シアン）の転写ローラ１９を、転写バイアスが印加された状態で、搬送ベルト１８から離間させる。【選択図】図２
2012063597.tif 000002
【特許請求の範囲】
【請求項１】
被転写部材を搬送する搬送ベルトと、被転写部材に転写される現像剤像を担持する複数の感光体とを備え、モノクロ画像を形成するモノクロモードと、カラー画像を形成するカラーモードとに切り替えられる画像形成装置であって、
複数の前記感光体は、ブラックの現像剤像を担持する第１感光体と、ブラック以外の現像剤像を担持する複数の第２感光体と
を備え、
前記搬送ベルトを挟んで前記第１感光体に対向される第１転写部材と、
前記搬送ベルトを挟んで各前記第２感光体に対向される第２転写部材と、
少なくとも１つの前記第２転写部材を、前記搬送ベルトに対して接触または離間させる接離部材と、
前記第１転写部材、および、すべての前記第２転写部材にバイアスを印加するバイアス印加手段と
を備え、
前記第１感光体は、被転写部材の搬送方向において、少なくとも１つの前記第２感光体よりも上流側に配置されており、
前記接離部材は、少なくとも、前記第１感光体の前記搬送方向下流側に隣接配置されている前記第２感光体に対向される前記第２転写部材を、前記カラーモードにおいて前記搬送ベルトに接触させ、前記モノクロモードにおいて前記搬送ベルトから離間させ、
前記バイアス印加手段は、前記モノクロモードおよび前記カラーモードにおいて、前記第１転写部材、および、すべての前記第２転写部材に転写バイアスを印加することを特徴とする、画像形成装置。
【請求項２】
被転写部材を搬送する搬送ベルトと、被転写部材に転写される現像剤像を担持する複数の感光体とを備え、モノクロ画像を形成するモノクロモードと、カラー画像を形成するカラーモードとに切り替えられる画像形成装置であって、
複数の前記感光体は、ブラックの現像剤像を担持する第１感光体と、ブラック以外の現像剤像を担持する複数の第２感光体と
を備え、
前記搬送ベルトを挟んで前記第１感光体に対向される第１転写部材と、
前記搬送ベルトを挟んで各前記第２感光体に対向される第２転写部材と、
被転写部材の搬送方向において、各前記第２転写部材の下流側にそれぞれ隣接配置され、前記搬送ベルトに対向される除電部材と、
少なくとも１つの前記第２転写部材を、前記搬送ベルトに対して接触または離間させる接離部材と、
前記第１転写部材、および、すべての前記第２転写部材に転写バイアスを印加する第１バイアス印加手段と、
各前記除電部材に転写バイアスを印加する第２バイアス印加手段と
を備え、
前記第１感光体は、被転写部材の搬送方向において、少なくとも１つの前記第２感光体よりも上流側に配置されており、
前記接離部材は、少なくとも、前記第１感光体の前記搬送方向下流側に隣接配置されている前記第２感光体に対向される前記第２転写部材を、前記カラーモードにおいて前記搬送ベルトに接触させ、前記モノクロモードにおいて前記搬送ベルトから離間させ、
前記第１バイアス印加手段は、前記モノクロモードにおいて、前記第１転写部材に転写バイアスを印加するとともに、前記搬送ベルトから離間された前記第２転写部材に転写バイアスを印加せず、
前記第２バイアス印加手段は、前記モノクロモードにおいて、前記搬送ベルトから離間された前記第２転写部材の下流側に隣接配置される前記除電部材に、転写バイアスを印加することを特徴とする、画像形成装置。
【請求項３】
前記第１感光体は、すべての前記第２感光体よりも、前記搬送方向上流側に配置されていることを特徴とする、請求項１または２に記載の画像形成装置。
【請求項４】
前記接離部材は、すべての前記第２転写部材を接離させることを特徴とする、請求項１ないし３のいずれか一項に記載の画像形成装置。
【発明の詳細な説明】
【技術分野】
【０００１】
本発明は、レーザプリンタなどの画像形成装置に関する。
【背景技術】
【０００２】
電子写真方式のカラープリンタとして、イエロー、マゼンタ、シアン、ブラックの各色のトナーに対応して並列配置される複数の感光体と、各感光体に対向される搬送ベルトとを備えるタンデム型カラーレーザプリンタが知られている。
【０００３】
例えば、前後方向に並列配置される４つ（イエロー、マゼンタ、シアン、ブラック）の感光体ドラムと、各感光体ドラムに接触され、前方から後方へ用紙を搬送する転写ベルトと、転写ベルトを挟んで各感光体ドラムに対向される転写ローラとを備えるレーザプリンタが提案されている（たとえば、特許文献１参照。）。
【先行技術文献】
【特許文献】
【０００４】
【特許文献１】特開２００６−９８７７２号公報
【発明の概要】
【発明が解決しようとする課題】
【０００５】
しかるに、上記した特許文献１では、モノクロ画像を形成するときには、ブラックのトナーのみを使用するため、カラー（イエロー、マゼンタ、シアン）の各感光体ドラムは、トナー像が担持されていない状態で、転写ベルトに接触されている。
【０００６】
そのため、ブラックの感光体ドラムに担持されたトナー像が、一旦、用紙に転写された後、ブラックの感光体ドラムよりも後方（用紙の搬送方向下流側）に配置されるカラーの感光体ドラムに対向されたときに、用紙から、カラーの感光体ドラムに逆転写される場合がある。
【０００７】
この場合、逆転写されたトナー像は、感光体ドラムが１周した後、本来の画像に対してずれた位置において、再度、用紙に転写される（逆転写ゴースト）。
【０００８】
そこで、本発明の目的は、ダイレクトタンデム方式の画像形成装置において、モノクロモードにおける逆転写ゴーストの発生を抑制することができる画像形成装置を提供することにある。
【課題を解決するための手段】
【０００９】
上記した目的を達成するため、第１の発明は、被転写部材を搬送する搬送ベルトと、被転写部材に転写される現像剤像を担持する複数の感光体とを備え、モノクロ画像を形成するモノクロモードと、カラー画像を形成するカラーモードとに切り替えられる画像形成装置であって、複数の前記感光体は、ブラックの現像剤像を担持する第１感光体と、ブラック以外の現像剤像を担持する複数の第２感光体とを備え、前記搬送ベルトを挟んで前記第１感光体に対向される第１転写部材と、前記搬送ベルトを挟んで各前記第２感光体に対向される第２転写部材と、少なくとも１つの前記第２転写部材を、前記搬送ベルトに対して接触または離間させる接離部材と、前記第１転写部材、および、すべての前記第２転写部材にバイアスを印加するバイアス印加手段とを備え、前記第１感光体は、被転写部材の搬送方向において、少なくとも１つの前記第２感光体よりも上流側に配置されており、前記接離部材は、少なくとも、前記第１感光体の前記搬送方向下流側に隣接配置されている前記第２感光体に対向される前記第２転写部材を、前記カラーモードにおいて前記搬送ベルトに接触させ、前記モノクロモードにおいて前記搬送ベルトから離間させ、前記バイアス印加手段は、前記モノクロモードおよび前記カラーモードにおいて、前記第１転写部材、および、すべての前記第２転写部材に転写バイアスを印加することを特徴としている。
【００１０】
また、第２の発明は、被転写部材を搬送する搬送ベルトと、被転写部材に転写される現像剤像を担持する複数の感光体とを備え、モノクロ画像を形成するモノクロモードと、カラー画像を形成するカラーモードとに切り替えられる画像形成装置であって、複数の前記感光体は、ブラックの現像剤像を担持する第１感光体と、ブラック以外の現像剤像を担持する複数の第２感光体とを備え、前記搬送ベルトを挟んで前記第１感光体に対向される第１転写部材と、前記搬送ベルトを挟んで各前記第２感光体に対向される第２転写部材と、被転写部材の搬送方向において、各前記第２転写部材の下流側にそれぞれ隣接配置され、前記搬送ベルトに対向される除電部材と、少なくとも１つの前記第２転写部材を、前記搬送ベルトに対して接触または離間させる接離部材と、前記第１転写部材、および、すべての前記第２転写部材に転写バイアスを印加する第１バイアス印加手段と、各前記除電部材に転写バイアスを印加する第２バイアス印加手段とを備え、前記第１感光体は、被転写部材の搬送方向において、少なくとも１つの前記第２感光体よりも上流側に配置されており、前記接離部材は、少なくとも、前記第１感光体の前記搬送方向下流側に隣接配置されている前記第２感光体に対向される前記第２転写部材を、前記カラーモードにおいて前記搬送ベルトに接触させ、前記モノクロモードにおいて前記搬送ベルトから離間させ、前記第１バイアス印加手段は、前記モノクロモードにおいて、前記第１転写部材に転写バイアスを印加するとともに、前記搬送ベルトから離間された前記第２転写部材に転写バイアスを印加せず、前記第２バイアス印加手段は、前記モノクロモードにおいて、前記搬送ベルトから離間された前記第２転写部材の下流側に隣接配置される前記除電部材に、転写バイアスを印加することを特徴としている。
【発明の効果】
【００１１】
第１の発明によれば、モノクロモードにおいて、少なくとも、第１感光体の搬送方向下流側に隣接配置されている第２感光体に対応する第２転写部材を、転写バイアスが印加された状態で、搬送ベルトから離間させる。
【００１２】
そのため、第２感光体に対する被転写部材の押圧力を低減させるとともに、第２転写部材に印加された転写バイアスによって、被転写部材に転写された現像剤像を、被転写部材に担持させ続けることができる。
【００１３】
これにより、被転写部材に転写された現像剤像が第２感光体に逆転写されることを、抑制することができる。
【００１４】
その結果、ダイレクトタンデム方式の画像形成装置において、モノクロモードにおける逆転写ゴーストの発生を抑制することができる。
【００１５】
第２の発明によれば、モノクロモードにおいて、少なくとも、第１感光体の搬送方向下流側に隣接配置されている第２感光体に対応する第２転写部材を、転写バイアスを印加せずに搬送ベルトから離間させるとともに、第２転写部材に隣接配置される除電部材に転写バイアスを印加する。
【００１６】
そのため、第２感光体に対する被転写部材の押圧力を低減させるとともに、除電部材に印加された転写バイアスによって、被転写部材に転写された現像剤像を、被転写部材に担持させ続けることができる。
【００１７】
これにより、被転写部材に転写された現像剤像が第２感光体に逆転写されることを、抑制することができる。
【００１８】
その結果、ダイレクトタンデム方式の画像形成装置において、モノクロモードにおける逆転写ゴーストの発生を抑制することができる。
【図面の簡単な説明】
【００１９】
【図１】本発明の画像形成装置の一例としてのカラーレーザプリンタを示す側断面図である。
【図２】第１実施形態における転写ユニットの動作を説明するための側面図であって、（ａ）は、カラーモード時を示し、（ｂ）は、モノクロモード時を示す。
【図３】第２実施形態における転写ユニットの動作を説明するための側面図であって、（ａ）は、カラーモード時を示し、（ｂ）は、モノクロモード時を示す。
【発明を実施するための形態】
【００２０】
１．カラーレーザプリンタの全体構成
図１に示すように、画像形成装置の一例としてのカラーレーザプリンタ１は、横置きタイプのダイレクトタンデム型カラーレーザプリンタである。カラーレーザプリンタ１は、本体ケーシング２内に、被転写部材の一例としての用紙Ｐを給紙するための給紙部３と、給紙された用紙Ｐに画像を形成するための画像形成部４とを備えている。
（１）本体ケーシング
本体ケーシング２は、給紙部３および画像形成部４を収容する側面視略矩形状のボックス状に形成されており、その一方側壁には、後述するプロセスユニット９を着脱させるためのフロントカバー５が形成されている。フロントカバー５は、本体ケーシング２に対して下端部を支点として揺動自在に設けられている。
【００２１】
なお、以下の説明において、フロントカバー５が設けられる側（図１における紙面左側）を前側とし、その反対側（図１における紙面右側）を後側とする。また、カラーレーザプリンタ１を前側から見たときを左右の基準とする。すなわち、図１の紙面手前側が右側であり、紙面奥側が左側である。
（２）給紙部
給紙部３は、用紙Ｐを収容する給紙トレイ６を備えている。給紙トレイ６は、本体ケーシング２内の底部に着脱自在に装着されている。
【００２２】
給紙トレイ６に収容されている用紙Ｐは、給紙トレイ６の前端部上側に配置される１対のレジストローラ７間に向けて１枚ずつ給紙され、所定のタイミングで、画像形成部４（感光ドラム１２（後述）と搬送ベルト１８（後述）との間）に向けて搬送される。
（３）画像形成部
画像形成部４は、スキャナユニット８、プロセスユニット９、転写ユニット１０、および定着ユニット１１を備えている。
（３−１）スキャナユニット
スキャナユニット８は、本体ケーシング２の上部に配置されている。スキャナユニット８は、実線で示すように、４つの感光ドラム１２（後述）に向けて、画像データに基づいて、レーザービームをそれぞれ出射し、感光ドラム１２（後述）を露光する。
（３−２）プロセスユニット
（３−２−１）プロセスユニットの構成
プロセスユニット９は、スキャナユニット８の下側であって、転写ユニット１０の上側に配置されており、感光体の一例としての感光ドラム１２、スコロトロン型帯電器１３および現像ユニット１４を備えている。
【００２３】
感光ドラム１２は、左右に延びる略円筒形状に形成されており、左右に沿って設けられ、前後方向に互いに間隔を隔てて、４つ並列配置されている。具体的には、前側から後側に向かって、第１感光体の一例としてのブラック感光ドラム１２Ｋと、３つの第２感光体の一例としての、イエロー感光ドラム１２Ｙ、マゼンタ感光ドラム１２Ｍおよびシアン感光ドラム１２Ｃとが、順次配置されている。
【００２４】
スコロトロン型帯電器１３は、感光ドラム１２の後上側に、感光ドラム１２と間隔を隔てて対向配置されている。
【００２５】
現像ユニット１４は、各感光ドラム１２に対応するように、感光ドラム１２の上側に配置されている。具体的には、前側から後側に向かって、ブラック現像ユニット１４Ｋ、イエロー現像ユニット１４Ｙ、マゼンタ現像ユニット１４Ｍおよびシアン現像ユニット１４Ｃが、順次配置されている。
【００２６】
また、各現像ユニット１４は、それぞれ、現像ローラ１５を備えている。
【００２７】
現像ローラ１５は、現像ユニット１４の下端において、後側から露出されるように回転可能に支持されており、感光ドラム１２に対して前上側から対向し、接触されている。
【００２８】
現像ユニット１４には、現像ローラ１５の上側の空間において、各色に対応する現像剤の一例としてのトナーが収容されている。
（３−２−２）プロセスユニットでの現像動作
現像ユニット１４内のトナーは、現像ローラ１５の回転に伴って、現像ローラ１５の表面に担持される。
【００２９】
一方、感光ドラム１２の表面は、感光ドラム１２の回転に伴って、スコロトロン型帯電器１３により一様に帯電された後、スキャナユニット８からのレーザービーム（図１破線参照。）の高速走査により露光される。これにより、用紙Ｐに形成すべき画像に対応した静電潜像が感光ドラム１２の表面に形成される。
【００３０】
感光ドラム１２がさらに回転すると、現像ローラ１５の表面に担持されているトナーが、感光ドラム１２の表面に形成されている静電潜像に供給される。これにより、感光ドラム１２の静電潜像は可視像化され、感光ドラム１２の表面には、反転現像によるトナー像が担持される。
（３−３）転写ユニット
転写ユニット１０は、本体ケーシング２内において、給紙部３の上側であって、プロセスユニット９の下側において、前後方向に沿って配置されている。この転写ユニット１０は、駆動ローラ１６、従動ローラ１７、搬送ベルト１８、および４つの転写ローラ１９を備えている。
【００３１】
駆動ローラ１６および従動ローラ１７は、互いに前後方向に間隔を隔てて対向配置されている。
【００３２】
搬送ベルト１８は、各感光ドラム１２に対して下側から対向され、その上側部分が各感光ドラム１２と接触するように、駆動ローラ１６および従動ローラ１７の周りに巻回されている。また、搬送ベルト１８は、駆動ローラ１６の駆動により、各感光ドラム１２と接触する搬送ベルト１８の上側部分が前側から後側に向かって移動するように、周回移動されている。
【００３３】
各転写ローラ１９は、搬送ベルト１８の上側部分を挟んで各感光ドラム１２に対向するように設けられている。具体的には、前側から後側に向かって、ブラック感光ドラム１２Ｋに対向される第１転写部材の一例としてのブラック転写ローラ１９Ｋと、イエロー感光ドラム１２Ｙ、マゼンタ感光ドラム１２Ｍおよびシアン感光ドラム１２Ｃにそれぞれ対向される３つの第２転写部材の一例としての、イエロー転写ローラ１９Ｙ、マゼンタ転写ローラ１９Ｍおよびシアン転写ローラ１９Ｃとが、順次配置されている。
【００３４】
そして、給紙部３から給紙された用紙Ｐは、搬送ベルト１８によって、前側から後側に向かって、各感光ドラム１２と各転写ローラ１９とが対向する転写位置を順次通過するように搬送される。その搬送中に、各感光ドラム１２に担持されている各色のトナー像が、用紙Ｐに順次転写され、カラー画像が形成される。
（３−４）定着ユニット
定着ユニット１１は、転写ユニット１０の後側に配置され、加熱ローラ２０、および加熱ローラ２０に対向する加圧ローラ２１を備えている。転写ユニット１０において、用紙Ｐに転写されたカラー画像は、用紙Ｐが加熱ローラ２０と加圧ローラ２１との間を通過する間に、加熱および加圧されることによって用紙Ｐに熱定着される。
（４）排紙
トナー像が定着した用紙Ｐは、各排紙ローラ２２によって、図示しないＵターンパスを通過するように搬送され、スキャナユニット８の上側に形成される排紙トレイ２３上に排紙される。
２．転写ユニットの詳細
（１）転写ユニットの構成
第１実施形態における転写ユニット１０は、上記し、図２に示すように、各感光ドラム１２に下側から接触される搬送ベルト１８と、搬送ベルト１８を挟んで各感光ドラム１２に対向される各転写ローラ１９とを備えている。
【００３５】
搬送ベルト１８は、導電性を有する弾性材料などから無端状に形成されている。
【００３６】
各転写ローラ１９は、それぞれ、転写ローラ軸３４とローラ部分３５とを備えている。
【００３７】
転写ローラ軸３４は、金属などの導電性材料から左右に延びる棒状に形成されている。
【００３８】
ローラ部分３５は、導電性を有する弾性材料などから、転写ローラ軸３４の表面を被覆するように、略円筒形状に形成されている。
【００３９】
また、転写ユニット１０は、接離部材の一例としての直動カム機構３０を備えている。
【００４０】
直動カム機構３０は、支持部材３２、圧縮ばね３１および直動カム３３を備えている。
【００４１】
支持部材３２は、側面視略矩形状に形成され、各転写ローラ１９の転写ローラ軸３４の左右両端に１つずつ設けられている。詳しくは、ブラック転写ローラ１９Ｋに対応するブラック側支持部材３２Ａと、カラーの各転写ローラ１９（イエロー転写ローラ１９Ｙ、マゼンタ転写ローラ１９Ｍおよびシアン転写ローラ１９Ｃ）に対応する各カラー側支持部材３２Ｂとが設けられている。また、支持部材３２の後側上端部には、前方に向かうに従って上側へ傾斜する支持部材側傾斜面２９が形成されている。また、各支持部材３２には、左右方向に沿って、転写ローラ軸挿通穴３６が貫通形成されており、転写ローラ軸挿通穴３６には、転写ローラ軸３４が相対回転可能に挿通されている。これにより、各支持部材３２は、対応する転写ローラ軸３４を支持している。
【００４２】
また、カラー側支持部材３２Ｂは、転写ユニット１０のフレーム２８に、上下にスライド自在に支持されている。
【００４３】
これにより、カラー側支持部材３２Ｂは、上側にスライドされ、カラーの各転写ローラ１９を搬送ベルト１８に接触させる接触位置（図２（ａ）参照）と、下側にスライドされ、カラーの各転写ローラ１９を搬送ベルト１８から離間させる離間位置（図２（ｂ）参照）とに、移動される。
【００４４】
なお、ブラック転写ローラ１９Ｋに対応する支持部材３２は、転写ユニット１０のフレーム２８に固定されている。
【００４５】
圧縮ばね３１は、各支持部材３２と、転写ユニット１０のフレーム２８との間に１つずつ設けられている。
【００４６】
各圧縮ばね３１は、一端が、対応する支持部材３２の下端部に接続され、他端が、転写ユニット１０のフレーム２８に接続されている。
【００４７】
これにより、各圧縮ばね３１は、支持部材３２を介して、転写ローラ１９を感光ドラム１２に向かって弾性的に押圧している。
【００４８】
直動カム３３は、搬送ベルト１８と、各カラー側支持部材３２Ｂとの間において、前後に延びる略杆状に形成されている。また、直動カム３３は、３つの変位部３７を備えている。
【００４９】
各変位部３７は、直動カム３３の下面から下側に向かって膨出する側面視略台形状に形成され、各カラー側支持部材３２Ｂに対応するように、前後方向に間隔を隔てて並列配置されている。また、各変位部３７には、その前端部において、前方に向かうに従って上方に傾斜するカム側傾斜面３８が形成され、その下面が、カム側傾斜面３８の後端部から連続して後方に向かって延びる平坦面３９として形成されている。
【００５０】
そして、直動カム３３は、各変位部３７が対応するカラー側支持部材３２Ｂの後方に配置されるように、転写ユニット１０のフレーム２８に前後にスライド自在に支持されている（図２（ａ）参照）。
【００５１】
このとき、各変位部３７のカム側傾斜面３８は、対応するカラー側支持部材３２Ｂの支持部材側傾斜面２９に後側から対向されている。
（２）転写ローラの接離動作
直動カム３３の各変位部３７が対応するカラー側支持部材３２Ｂの後側に配置されているときには、図２（ａ）に示すように、直動カム３３は、各カラー支持部材３２Ｂを押圧しておらず、転写ローラ１９は、圧縮ばね３１の付勢力により、接触位置に配置されている。これにより、カラーの各転写ローラ１９は、搬送ベルト１８に接触されている。
【００５２】
そして、本体ケーシング２内の図示しない駆動手段により、直動カム３３が前側に向かってスライドされると、各変位部３７のカム側傾斜面３８が、対応する各カラー側支持部材３２Ｂの支持部材側傾斜面２９に後側から当接される。
【００５３】
そして、直動カム３３がさらに前側へ移動されると、各カラー側支持部材３２Ｂの支持部材側傾斜面２９が、対応する変位部３７に対して相対的に後下側へスライドされるように、対応する変位部３７のカム側傾斜面３８によって下側へ押圧される。これにより、各カラー側支持部材３２Ｂが下側へ移動され、カラーの各転写ローラ１９が接触位置から離間位置へ移動される。
（３）転写ユニットへの電力供給
本体ケーシング２は、電源４１と、バイアス印加手段の一例としての転写バイアスライン４２とを備えている。
【００５４】
電源４１は、本体ケーシング２内に設けられている。
【００５５】
転写バイアスライン４２は、電源４１と、各転写ローラ１９の転写ローラ軸３４とに電気的に接続されている。
【００５６】
そして、各転写ローラ１９には、カラーレーザプリンタ１がカラーモード（図２（ａ）参照）またはモノクロモード（図２（ｂ）参照）のいずれの場合においても、転写バイアスライン４２を介して、転写バイアスが印加されている。
３．画像形成動作
（１）カラーモードにおける画像形成動作
カラーレーザプリンタ１がカラーモードのときには、上記し、図２（ａ）に示すように、直動カム３３は、後側に退避されている。
【００５７】
このとき、各カラー側支持部材３２Ｂは、圧縮ばね３１の付勢力によって上側にスライドされて、接触位置に配置されている。これにより、搬送ベルト１８と、カラーの各転写ローラ１９とが接触されている。
【００５８】
そして、上記したように、用紙Ｐは、各感光ドラム１２と各転写ローラ１９とが対向する転写位置を順次通過するように、搬送ベルト１８によって前側から後側に向かって搬送される。その搬送中に、各感光ドラム１２に担持されている各色のトナー像が、転写バイアスによって用紙Ｐに順次転写され、カラー画像が形成される。
（２）モノクロモードにおける画像形成動作
カラーレーザプリンタ１がカラーモードからモノクロモードに切り替えられるときには、本体ケーシング２内の駆動手段（図示せず）により、直動カム３３が前側に向かってスライドされる。
【００５９】
すると、上記したように、カラー側支持部材３２Ｂが、直動カム３３によって下側に向かって押圧される。これにより、カラーの各転写ローラ１９は、搬送ベルト１８から離間される。
【００６０】
そして、上記したように、用紙Ｐは、各感光ドラム１２と各転写ローラ１９とが対向する転写位置を順次通過するように、搬送ベルト１８によって前側から後側に向かって搬送される。
【００６１】
すると、まず、用紙Ｐがブラック感光ドラム１２Ｋに対向されたときに、ブラック感光ドラム１２Ｋに担持されているブラックのトナー像が、用紙Ｐに転写される。
【００６２】
その後、用紙Ｐは、トナー像が担持されていないカラーの各感光ドラム１２と、対応する各転写ローラ１９との間を順次通過される。
【００６３】
このとき、カラーの各転写ローラ１９は、上記したように、搬送ベルト１８から離間されている。つまり、用紙Ｐに転写されたブラックのトナー像は、カラーの各転写ローラ１９によってカラーの各感光ドラム１２に押圧されることがない。また、カラーの各転写ローラ１９には、転写バイアスが印加されている。
【００６４】
そのため、用紙Ｐに転写されたブラックのトナー像は、カラーの各感光ドラム１２の表面に付着されることなく、転写バイアスによって、用紙Ｐの表面に担持される。
【００６５】
つまり、用紙Ｐに転写されたブラックのトナー像がカラーの各感光ドラム１２に逆転写されることが、抑制される。
【００６６】
これにより、モノクロモードにおいて、逆転写ゴーストを発生させることなく、用紙Ｐにモノクロ画像が形成される。
【００６７】
なお、カラーモードに切り替えられると、直動カム３３は、本体ケーシング２内の駆動手段（図示せず）により、再び、後側に向かってスライドされる。
４．作用効果
（１）このカラーレーザプリンタ１によれば、図２（ｂ）に示すように、モノクロモードにおいて、カラーの各転写ローラ１９を、転写バイアスが印加された状態で、搬送ベルト１８から離間させる。
【００６８】
そのため、カラーの各感光ドラム１２に対する用紙Ｐの押圧力を低減させるとともに、カラーの各転写ローラ１９に印加された転写バイアスによって、用紙Ｐに転写されたトナー像を、用紙Ｐに担持させ続けることができる。
【００６９】
これにより、用紙Ｐに転写されたトナー像がカラーの各感光ドラム１２に逆転写されることを、抑制することができる。
【００７０】
その結果、ダイレクトタンデム方式のカラーレーザプリンタ１において、モノクロモードにおける逆転写ゴーストの発生を抑制することができる。
（２）また、このカラーレーザプリンタ１によれば、図２に示すように、ブラック感光ドラム１２Ｋは、すべてのカラーの各感光ドラム１２よりも、前側に配置されている。
【００７１】
そのため、カラーモードにおいて、ブラックのトナー像の上に、順次、カラーのトナー像を重ね合わせて、より多くの色を発色させることができる（例えば、ブラックの下地にイエローを重ねて、茶色を発色させるなど。）。
【００７２】
その結果、カラーモードにおいて、多様な発色を実現することができる。
（３）また、このカラーレーザプリンタ１によれば、図２に示すように、直動カム機構３０は、カラーの各転写ローラ１９すべてを感光ドラム１２から離間させる。
【００７３】
そのため、モノクロモードにおける逆転写ゴーストの発生を、より確実に抑制することができる。
５．第２実施形態
上記した第１実施形態では、モノクロモードにおいて、カラーの各転写ローラ１９を、転写バイアスが印加された状態で、感光ドラム１２から離間させている。
【００７４】
対して、第２実施形態では、図３（ｂ）に示すように、モノクロモードにおいて、カラーの各転写ローラ１９を、転写バイアスが印加されない状態で、感光ドラム１２から離間させるとともに、カラー側除電部材５１Ｂに、転写バイアスを印加する。なお、第２実施形態において、上記した第１実施形態と同様の部材には、同様の符号を付し、その説明を省略する。
（１）転写ユニットの構成
転写ユニット１０は、除電部材５１を備えている。
【００７５】
除電部材５１は、金属などの導電性材料から、左右方向に延びる略平板形状に形成されており、各転写ローラ１９の後側に、それぞれ１つずつ隣接配置されている。具体的には、ブラック転写ローラ１９Ｋに隣接配置されるブラック側除電部材５１Ａと、カラーの各転写ローラ１９にそれぞれ隣接配置されるカラー側除電部材５１Ｂとが、順次、配列されている。また、除電部材５１は、搬送ベルト１８に対して、わずかに間隔を隔てて対向配置されている。
（２）転写ユニットへの電力供給
本体ケーシング２は、各転写ローラ１９および各カラー側除電部材５１Ｂに電気的に接続されるバイアスライン５２と、すべての除電部材５１をアースさせるアースライン５３と、第１スイッチ５７とを備えている。
【００７６】
バイアスライン５２は、電源４１に電気的に接続されており、第１バイアス印加手段の一例としての転写ローラ側バイアスライン５４と、第２バイアス印加手段の一例としての除電部材側バイアスライン５５とを備えている。
【００７７】
転写ローラ側バイアスライン５４は、各転写ローラ１９に対応して４つ設けられ、各転写ローラ１９に電気的に接続されている。具体的には、ブラック転写ローラ１９Ｋに接続されるブラック転写ローラ側バイアスライン５４Ａと、カラーの各転写ローラ１９にそれぞれ接続される各カラー転写ローラ側バイアスライン５４Ｂとが設けられている。
【００７８】
また、カラー転写ローラ側バイアスライン５４Ｂの途中には、第２スイッチ５６が設けられている。
【００７９】
第２スイッチ５６は、カラー転写ローラ側バイアスライン５４Ｂを通電させて、電源４１から転写ローラ１９に電力を供給するオン状態（図３（ａ）参照）と、カラー転写ローラ側バイアスライン５４Ｂの通電を解除して、電源４１から転写ローラ１９へ電力供給を解除するオフ状態（図３（ｂ）参照）とに切り替えられる。
【００８０】
除電部材側バイアスライン５５は、各カラー側除電部材５１Ｂに対応して３つ設けられ、各カラー側除電部材５１Ｂに、第１スイッチ５７を介して電気的に接続されている。
【００８１】
アースライン５３は、アースされており、各除電部材５１に対応して４つ設けられている。具体的には、ブラック側除電部材５１Ａに接続されるブラック側アースライン５３Ａと、各カラー側除電部材５１Ｂに、第１スイッチ５７を介してそれぞれ接続される各カラー側アースライン５３Ｂとが設けられている。
【００８２】
第１スイッチ５７は、各カラー側除電部材５１Ｂに対応して３つ設けられ、それぞれ、カラー側除電部材５１Ｂに接続されるとともに、カラー転写ローラ側バイアスライン５４Ｂおよびカラー側アースライン５３Ｂに選択的に接続されている。
【００８３】
つまり、第１スイッチ５７は、カラー側除電部材５１Ｂとカラー側アースライン５３Ｂとを接続するとともに、カラー側除電部材５１Ｂとカラー転写ローラ側バイアスライン５４Ｂとの接続を解除するアース側（図３（ａ）参照）と、カラー側除電部材５１Ｂとカラー転写ローラ側バイアスライン５４Ｂとを接続するとともに、カラー側除電部材５１Ｂとカラー側アースライン５３Ｂとの接続を解除するバイアス側（図３（ｂ）参照）とに切り替えられる。
【００８４】
そして、カラーレーザプリンタ１がカラーモードのときには、図３（ａ）に示すように、第１スイッチ５７は、アース側に切り替えられ、第２スイッチ５６は、オンされている。
【００８５】
これにより、カラー側除電部材５１Ｂは、カラー側アースライン５３Ｂを介してアースされており、カラーの各転写ローラ１９には、カラー転写ローラ側バイアスライン５４Ｂを介して、転写バイアスが印加されている。
【００８６】
なお、ブラック側除電部材５１Ａも、ブラック側アースライン５３Ａを介してアースされており、ブラック転写ローラ１９Ｋにも、ブラック転写ローラ側バイアスライン５４Ａを介して、転写バイアスが印加されている。
【００８７】
つまり、カラーレーザプリンタ１がカラーモードのときには、すべての除電部材５１がアースされるとともに、すべての転写ローラ１９に転写バイアスが印加されている。
【００８８】
そして、カラーレーザプリンタ１がカラーモードからモノクロモードに切り替えられると、図３（ｂ）に示すように、第１スイッチ５７は、バイアス側に切り替えられ、第２スイッチ５６は、オフされる。
【００８９】
これにより、カラー側除電部材５１Ｂには、除電部材側バイアスライン５５を介して転写バイアスが印加され、カラーの各転写ローラ１９には、転写バイアスが印加されなくなる。
【００９０】
なお、ブラック側除電部材５１Ａは、ブラック側アースライン５３Ａを介してアースされており、ブラック転写ローラ１９Ｋには、ブラック転写ローラ側バイアスライン５４Ａを介して、転写バイアスが印加されている。
【００９１】
つまり、カラーレーザプリンタ１がモノクロモードのときには、各転写ローラ１９のうち、カラーの各転写ローラ１９への転写バイアスの印加が解除されるとともに、各除電部材５１のうち、カラー側除電部材５１Ｂに転写バイアスが印加される。
（３）第２実施形態の作用効果
第２実施形態のカラーレーザプリンタ１によれば、図３（ｂ）に示すように、モノクロモードにおいて、カラーの各転写ローラ１９を、転写バイアスを印加せずに搬送ベルト１８から離間させるとともに、カラーの各転写ローラ１９の後側にそれぞれ隣接配置される各カラー側除電部材５１Ｂに、転写バイアスを印加する。
【００９２】
そのため、カラーの各感光ドラム１２に対する用紙Ｐの押圧力を低減させるとともに、カラー側除電部材５１Ｂに印加された転写バイアスによって、用紙Ｐに転写されたトナー像を、用紙Ｐに担持させ続けることができる。
【００９３】
これにより、用紙Ｐに転写されたトナー像がカラーの感光ドラム１２に逆転写されることを、抑制することができる。
【００９４】
その結果、ダイレクトタンデム方式のカラーラーザプリンタ１において、モノクロモードにおける逆転写ゴーストの発生を抑制することができる。
【００９５】
また、第２実施形態のカラーレーザプリンタ１によれば、上記した第１実施形態のカラーレーザプリンタ１と同様の作用効果を得ることができる。
６．その他の実施形態
また、上記した各実施形態では、カラーの各転写ローラ１９を、すべて、対応する感光ドラム１２から離間したが、イエロー転写ローラ１９Ｙのみをイエロー感光ドラム１２Ｙから離間することもできる。
【００９６】
モノクロモードにおける逆転写ゴーストは、主として、ブラック感光ドラム１２Ｋの後側に隣接するイエロー感光ドラム１２Ｙにおいて発生しやすく、イエロー感光ドラム１２Ｙよりも後側の直後に配置されるマゼンタ感光ドラム１２Ｍやシアン感光ドラム１２Ｃでは、発生頻度が低い。
【００９７】
そのため、イエロー転写ローラ１９Ｙをイエロー感光ドラム１２Ｙから離間させて、イエロー感光ドラム１２Ｙにおける逆転写ゴーストの発生を抑制することにより、モノクロモードにおける逆転写ゴーストの発生を抑制することができる。
【符号の説明】
【００９８】
１      カラーレーザプリンタ
１２    感光ドラム
１８    搬送ベルト
１９    転写ローラ
３０    直動カム機構
４２    転写バイアスライン
５１    除電部材
５４    転写ローラ側バイアスライン
５５    除電部材側バイアスライン
Ｐ      用紙
【図１】
2012063597.tif 000003
【図２】
2012063597.tif 000004
【図３】
2012063597.tif 000005